Podtech/llm-jp-corpus-v4-ja_patent huggingface dataset:
(57)【要約】【課題】太陽電池パネルの普及拡大、発電効率の向上、土地の設置効率の向上、設置条件の拡大等を計る場合、地上、海上の反射光の利用、集光技術、多段式設置工法の課題が発生する。その為、傾斜型反射鏡付、多段式太陽電池パネルの設置工法で、解決すること。【解決手段】イ）支柱Ａ（１）、支柱Ｂ（２）に太陽電池パネルＣ（３）、太陽電池パネルＤ（４）、太陽電池パネルＥ（５）、太陽電池パネルＦ（６）を、傾斜角度Ｇ（７）を設け、取り付ける。ロ）次にイ）の太陽電池パネルＣ（３）、Ｄ（４）、Ｅ（５）と反射鏡Ｈ（８）、反射鏡Ｉ（９）、反射鏡Ｊ（１０）を、傾斜角度Ｋ（１１）を設け、取り付ける。ハ）太陽電池パネルＦ（６）の下に、通信機能付電力メーター（１２）と充電装置（１３）を設ける。以上のことを特徴とする。【選択図】図１、図２
2011176251.tif 000002
【特許請求の範囲】
【請求項１】
イ）支柱Ａ（１）、支柱Ｂ（２）に太陽電池パネルＣ（３）、太陽電池パネルＤ（４）、太陽電池パネルＥ（５）、太陽電池パネルＦ（６）を、傾斜角度Ｇ（７）を設け、取り付ける。
ロ）次にイ）の太陽電池パネルＣ（３）、Ｄ（４）、Ｅ（５）と反射鏡Ｈ（８）、反射鏡Ｉ（９）、反射鏡Ｊ（１０）を、傾斜角度Ｋ（１１）を設け、取り付ける。
ハ）太陽電池パネルＦ（６）の下に、通信機能付電力メーター（１２）と充電装置（１３）を設ける。
以上のごとく構成された、傾斜型反射鏡付、多段式太陽電池パネルの設置工法に関するものである。
【発明の詳細な説明】
【技術分野】
【０００１】本発明は、太陽電池パネルの設置工法に関するものであり、支柱と反射鏡を用いることを特徴として、集光方式で、太陽電池パネルのタテ型、多段式設置を可能にしたものである。
【背景技術】
【０００２】従来の太陽電池パネルの設置は、家屋の屋根、建物の屋上、直射日光を採光する一段式固定であった。
【発明の開示】
【発明が解決しようとする課題】
【０００３】これは、次のような欠点があった。
イ）地上、海上の反射光の利用が出来なかった。
ロ）集光ができなかった。
ハ）多段の設置ができなかった。
ニ）最適方向の真南に設置することが難しかった。
本発明は以上のような欠点をなくすためになされたものである。
【課題を解決するための手段】
【０００４】この課題を解決するために、請求項１の発明は、
イ）地上、海上に反射する太陽光を再反射する反射鏡Ｈ（８）、Ｉ（９）、Ｊ（１０）を太陽電池パネルＤ（４）、Ｅ（５）、Ｆ（６）に設ける。
ロ）太陽電池パネルＣ（３）、Ｄ（４）、Ｅ（５）、Ｆ（６）は真南方向、傾斜角度Ｇ（７）を３０度に設け、最適採光角度にする。
ハ）次に太陽電池パネルＤ（４）、Ｅ（５）、Ｆ（６）に、反射鏡Ｈ（８）、Ｉ（９）、Ｊ（１０）を傾斜角度Ｋ（１１）９０度に設け、取付け、直射日光、反射日光を併用した反射型集光を設ける。
ニ）支柱Ａ（１）、Ｂ（２）を用いて、太陽電池パネルＣ（３）、Ｄ（４）、Ｅ（５）、Ｆ（６）をタテ型多段式に設ける。
ホ）太陽電池パネルＣ（３）、Ｄ（４）、Ｅ（５）、Ｆ（６）と、充電装置（１３）は結線し、通信機能付電力メーター（１４）で管理する。
本発明は、以上の構成よりなる傾斜型反射鏡付、多段式太陽電池パネルの設置工法である。
【発明の効果】
【０００５】イ）この発明の効果は、直射日光を反射して、集光するため、太陽電池パネルの発電効率が向上する。
ロ）この発明の効果は、地上、海上に反射する太陽光の反射を活用して、再反射、集光するため、更に太陽電池パネルの発電効率が向上する。
ハ）この発明の効果は、高所空間を利用した、多段式を設けるため、土地の設置効率が高まる。
ニ）この発明の効果は、支柱を用いるため、真南方向に設置することが可能である。
【発明を実施する為の最良の形態】
【０００６】  以下、本発明を実施する為の最良の形態を説明する。
イ）支柱Ａ（１）、支柱Ｂ（２）に太陽電池パネルＣ（３）、太陽電池パネルＤ（４）、太陽電池パネルＥ（５）、太陽電池パネルＦ（６）を、傾斜角度Ｇ（７）を設け、取り付ける。
ロ）次にイ）の太陽電池パネルＣ（３）、Ｄ（４）、Ｅ（５）と反射鏡Ｈ（８）、反射鏡Ｉ（９）、反射鏡Ｊ（１０）を、傾斜角度Ｋ（１１）を設け、取り付ける。
ハ）太陽電池パネルＦ（６）の下に、通信機能付電力メーター（１２）と充電装置（１３）を設ける。
本発明は以上のような構造である。
【０００７】この発明は、反射鏡にアルミ材、ステンレス材等の金属材や、塗装材等、太陽光の反射効率の高い素材であれば、使用可能であり、支柱はコンクリートポールや鉄柱等の使用可能である。
又、支柱の上に風力発電機の併用設置も可能である。
【０００８】この発明は建物の側面に設置可能であり、補強支柱を加えて、単独設置も可能である。
【０００９】この発明は、充電装置と通信機能付電力メーターを用いて、分散型発電システムとして使用しても可能である。
【００１０】この発明は、太陽電池パネルを太陽熱温水パネルに代用して使用しても可能であり、又、反射鏡を太陽電池パネルに代用して、反射用太陽電池発電に使用しても可能である。
更に又、太陽電池パネルを両面型太陽電池パネルに代用して、背面反射光を利用する太陽電池発電に使用しても可能である。
更に加えて、太陽電池パネルの表面を光触媒等シート、塗装も可能である。
【００１１】この発明は、真南方向の周辺方向でも使用可能であり、傾斜角度Ｇ（７）も３０度の周辺角度でも、傾斜角度Ｋ（１１）も９０度の周辺角度でも、使用可能である。
【産業上の利用可能性】
【００１２】本発明に係る傾斜型反射鏡付、多段式太陽電池パネルの設置工法は、太陽電池発電の効率向上を計り、産業上の利用可能を有する。
【図面の簡単な説明】
【００１３】
【図１】本発明の説明図である。
【図２】本発明の他の実施例を示す説明図である。
【符号の説明】
【００１４】（１）支柱Ａ  （２）支柱Ｂ  （３）太陽電池パネルＣ
（４）太陽電池パネルＤ  （５）太陽電池パネルＥ  （６）太陽電池パネルＦ
（７）傾斜角度Ｇ  （８）反射鏡Ｈ  （９）反射鏡Ｉ  （１０）反射鏡Ｊ
（１１）傾斜角度Ｋ  （１２）通信機能付電力メーター  （１３）充電装置
【図１】
2011176251.tif 000003
【図２】
2011176251.tif 000004
(57)【要約】      （修正有）【課題】納豆の過剰包装を無くし、食する時に一番嫌なこと、気を使うことも無くし、容器の蓋を取り外したら、ただそのまま混ぜるだけで食感が良く、風味豊かに味わう事が出来る糸引き納豆を提供する。【解決手段】糸引き納豆に添付されているタレ、カラシの調味料は小袋に入れずに裸状の調味料３を納豆菌接種済み蒸煮大豆１と直接接触した状態で納豆菌接種済み蒸煮大豆の下部又は中央部又は上部又は全体に混ぜ合わせて入れて、納豆菌接種済み蒸煮大豆を押える押さえフィルムも使用せずに発酵させ、冷却して作る。蓋２を取りそのまま混ぜると調味済み糸引き納豆となる事を特徴とする、エコで省資源の便利な糸引き納豆である。【選択図】図２
2011172551.tif 000002
【特許請求の範囲】
【請求項１】
納豆菌接種済み蒸煮大豆と裸状の調味料を、直接接触した状態で発酵、冷却させて作る。蓋を取りそのまま混ぜると調味済み糸引き納豆となる事を特徴とするエコで省資源の便利な糸引き納豆である。
【発明の詳細な説明】
【技術分野】
【０００１】  本発明は、糸引き納豆を、そのまま混ぜて食べられるエコで省資源の便利な糸引き納豆にする技術に関するものである。
【背景技術】
【０００２】  従来、糸引き納豆は、容器に納豆菌接種済みの蒸煮大豆を盛り込み、押えフィルムにて、納豆菌接種済み蒸煮大豆を押えて、その上に調味料のタレ、カラシ等を入れて開口部にフィルムを熱シール又は蓋をして発酵、冷却工程を経て糸引き納豆になる。又は、容器の一角に調味料用にポケットを設け、そこに調味料を入れている。
【発明の概要】
【発明が解決しようとする課題】
【０００３】  そのために次の様な問題点があった
（イ）糸引き納豆は納豆菌接種済み蒸煮大豆を押えている押さえフィルムをはがす時に糸を引いて、糸を切ろうとしてもなかなか切れない。又、伸びた糸が回りに付いて汚してしまう。
（ロ）調味料のタレ、カラシ等の入った小袋等を開封する時に
ａ．開封しにくい
ｂ．回りに飛び散ってしまい汚れてしまう
ｃ．手を汚してしまう
（ハ）糸引き納豆は納豆菌接種済み蒸煮大豆を押えるフィルム、調味料等の小袋を使用しているため無駄な資材を使っている。従って、その加工をする設備や設備を動かす電力、そしてその作業スペースや人件費も大変無駄である。
（二）糸引き納豆容器の一角に調味料用ポケットを設け、そこにゼリー状の調味料を裸で入れてあるものもある。しかし、納豆の入るスペースが小さくなり、又、三角形になっている。従って狭いうえに三角形なので混ぜにくいし、混ざらない。
【課題を解決するための手段】
【０００４】（イ）納豆菌接種済み蒸煮大豆を押える押えフィルムは使用しない。押えフィルムの使用目的は、調味料等の入った小袋が直接納豆菌接種済み蒸煮大豆に触れるのを防いでいるので、小袋を入れなければ不要である。
（ロ）納豆容器に調味料を納豆菌接種済み蒸煮大豆の上部、又は下部に直接入れる事により小袋は使用しない。
ａ．調味料を容器の底部に入れる例
容器の底部に直接裸状の調味料を入れ、その次に納豆菌接種済み大豆を直接盛り込み、容器開口部には納豆菌が発酵時、又、流通時、保存時に必要な通気が可能な封をする。その後発酵工程、冷却工程を経て糸引き納豆を作る。
ｂ．納豆容器に調味料を納豆菌接種済み蒸煮大豆の上部に直接入れる例
納豆容器に納豆菌接種済み蒸煮大豆を入れ、その次に直接裸状の調味料を乗せて、容器開口部には納豆菌が発酵時、又、流通時、保存時に必要な通気が可能な封をする。その後発酵工程、冷却工程を経て糸引き納豆を作る。
以上を特徴とする、エコで省資源、手間いらずのそのまま混ぜて食べられる便利な糸引き納豆である。
【発明の効果】
【０００５】（イ）製造時、部品点数が減り、工程も少なくなりコストも下がる。
（ロ）省資源でエコある。
押えフィルム、小袋用フィルムを使用しないので、省資材（省部品点数）、省作業スペース、省エネルギー、省力化が出来、エコで地球にやさしい。
（ハ）食する時に容器開口部の封を外し、そのまま混ぜるだけでいつも同じ味覚で味わえる。
ａ．押えフィルムは、はがす時に糸引きを切るのに苦労したり、糸が回りを汚したりするが、本発明は押えフィルムを使用しないので苦労したり、回りを汚すことはない。
ｂ．調味料の小袋を開封する時に気を使う。又、煩わしい作業が有るが、本発明では小袋を使用しないのでその心配はない。
ｃ．調味料の小袋開封時に中身が飛び散ったり、手に付いたりして調味料の量が変わることがあるが、本発明は子袋を使用しないのでいつも同じ味覚で味わえる。
（二）現状の使い慣れた容器も可能なので、混ぜ易く、良く混ざるので、お客様にも受け入れてもらい易い。
【図面の簡単な説明】
【０００６】
【図１】本発明の斜視図
【図２】本発明、実施例１の断面図
【図３】本発明、実施例２の断面図
【図４】本発明の工程を示すフローチャート図
【発明を実施するための形態】
【０００７】以下、本発明の実施の形態について説明する。
実施例１
納豆容器の底部に調味料（液体に粘度を持たせたもの）を入れた方式。
（イ）通常の調味液（納豆用タレ）８６０ｇに納豆用カラシ１４０ｇを容器内に入れ混ぜた後に片栗粉１００ｇを入れ混ぜ合わせた後に、１００℃で３分間加熱し１０℃まで冷却した調味液を作る。
（ロ）（イ）の調味液を納豆容器の底部に１０ｇ入れ、その上に納豆菌接種済み蒸煮大豆を直接５５ｇ盛り込み、容器開口部は蓋をして通常の発酵工程、冷却工程を経て、糸引き納豆の出来上がり。
（ハ）出来上がった糸引き納豆を食する時は蓋を取り外し、何もする事無くそのまま箸で混ぜて食べられる。
（ニ）試食した結果、糸引き納豆大豆の硬度は調味料と接している所と、接していない所の差は無く、調味料や納豆の風味も通常品となんら変わらない状態で仕上がっている。
【０００８】実施例２
納豆容器に納豆菌接種済み蒸煮大豆を盛り込み、その上部に調味料（液体に粘度を持たせたもの）を直接入れた方式。
（イ）納豆容器に納豆菌接種済み蒸煮大豆を５５ｇ盛り込み、その上部に実施例１の（イ）の調味料を直接１０ｇ添加し、容器開口部には蓋をして通常発酵工程、冷却工程を経て糸引き納豆の出来上がり。
（ロ）出来上がった糸引き納豆を食する時は蓋を取り外し、何もする事無くそのまま箸で混ぜて食べられる。
（ハ）試食した結果、糸引き納豆大豆の硬度は調味料と接している所と、接していない所の差は無く、調味料や納豆の風味も通常品となんら変わらない状態で仕上がっている。
本発明は以上の構成よりなっている。
本発明の実施形態では、液体に粘度を持たせたものを例に説明したが、調味料は粉状、顆粒状、固体状等の状態でも同様に製造出来る。
実施例１は下部、実施例２は上部に調味料を入れた例を説明したが、中央部又は全体に混ぜ合わせて入れても同様に製造出来る。
【符号の説明】
【０００９】１．糸引き納豆容器
２．糸引き納豆容器蓋
３．調味料
４．糸引き納豆大豆
【図１】
2011172551.tif 000003
【図２】
2011172551.tif 000004
【図３】
2011172551.tif 000005
【図４】
2011172551.tif 000006
(57)【要約】      （修正有）【課題】農産物および果実の良質化と生育・育成の調整並びに出荷時期の短縮化、さらに農作物および果実の生産に伴う燃料経費削減と農業事業者の生産性の向上をはかる。【解決手段】「農ビ植物育成カーボンヒーター」植物育成システムとして、農ビハウス内に二酸化炭素の放出が皆無で、植物の生育・育成に有効とされる中遠赤外線が農作物および果実等に効果的かつ効率的に放射されこれが植物の生育・育成に好影響を与え、良質な農産物および果実の生産を高め、農業生産者の燃料費削減効果と相乗して生産性向上に寄与することが可能となる。【選択図】なし【特許請求の範囲】
【請求項１】
農業生産者が農ビハウス内に「農ビ植物育成カーボンヒーター」を設置し、カーボンヒーターから発生する遠赤外線の放射効果により良質な農作物および果実の生育を促進せしめ、育成期間の短縮を図りつつ、市場を視野に出荷時期の調整を簡便ならしめることを可能とする装置である。
【請求項２】
石化燃料によるボイラー稼動、また、ハロゲンランプやニクロム線、シーズヒーター等の使用と比較し、農作物および果実の特に生育・育成に与える影響は格段に良い。また、既存の装置と比較し消費電力が約３０％程度削減可能である。このため二酸化炭素排出量の削減が大幅に図れ、さらに、装置の耐久時間が飛躍的に延び設備投資の圧縮が図られる。よって、投資効率の向上に寄与する。
【発明の詳細な説明】
【技術分野】  農作物および果実の生産における遠赤外線の有効利用【０００１】  本発明は、カーボンヒーターによる遠赤外線の遠赤効果により農作物および果実の良質化と収穫時期の短縮並びに出荷時期の調整、さらには温室栽培での燃料費削減に関するものである。
【背景技術】
【０００２】  農作物および果実の温室栽培に於いて、石化燃料によるボイラー、ハロゲンランプやニクロム線、シーズヒーター等により室内温度を調整或は高めるため燃料を重油或はガス電力に多くを依存している。【０００３】  環境問題に関して、ボイラーの燃料である重油やガスからの二酸化炭素の発生が地球温暖化対策として問題となっている。【０００４】  温室栽培農家では、ボイラーの燃料費高騰が農作物の出荷単価を著しく損ねている。また、農作物および果実市場への出荷の面からして農作物および果実生産農家の採算が悪化し経営が立ち行かなくなってきている現実的な側面もある。【０００５】  この環境問題と生産性の課題、さらには農作物および果実の育成期間の調整を図り、市場を視野に効率の良い時節を得た出荷時期の設定を可能ならしめ、燃料費削減効果と相乗して生産農家の生産性向上に寄与することが可能となる。
【発明の概要】
【発明が解決しようとする課題】
【０００６】  農産物および果実の良質化と生育・育成の調整並びに出荷時期の短縮化、さらに農作物および果実の生産に伴う燃料経費削減と農業事業者の生産性の向上をはかる。また、二酸化炭素の削減をなさしめる。
【課題を解決するための手段】
【０００７】  「農ビ植物育成カーボンヒーター」により発生する遠赤外線放射の効果により、これらの課題を解決に至らしめる。
【発明の効果】
【０００８】  「農ビ植物育成カーボンヒーター」の設置により農作物の良質化が図られ、生育・育成期間の調整が簡便となり、市場に対して時節を得た出荷時期の設定が可能となる。【０００９】  二酸化炭素の削減を図り、燃料費と設備投資の効率化を促し相乗して生産農家の生産性向上に寄与することが可能となる。
【発明を実施するための形態】
【０００１０】  直管型カーボンヒーターを農ビ内の天井部位に取り付け通電させる。
【実施例１】
【００１１】  冬季、農ビハウス内でカーボンヒーター点灯による小松菜育成試験に於いて、カーボンヒーター点灯下と無しでは、生育・育成に大きな変化がみられた。
▲１▼  カーボンヒーターを農ビハウスの天井に取り付けした状況
試験日：２００８年１２月２８日  〜  ２００９年１月２６日
2011172554.tif 000002
【実施例２】
【００１２】  ▲２▼  小松菜の生育状況の比較
試験日：２００８年１２月２８日  〜  ２００９年１月２６日
2011172554.tif 000003
【実施例３】
【００１３】試験日：２００８年１０月１４日
2011172554.tif 000004
2011172554.tif 000005
試験日：２００８年１０月１５日
2011172554.tif 000006
2011172554.tif 000007
試験日：２００８年１０月１８日
2011172554.tif 000008
2011172554.tif 000009
試験日：２００８年１０月１９日
2011172554.tif 000010
2011172554.tif 000011
【産業上の利用可能性】
【００１４】  農ビハウス内に「農ビ植物育成カーボンヒーター」を設置し用いることで、遠赤外線放射の効果により農作物および果実の育成に効果的で生育・育成期間の調整が図られ、ハロゲンランプやニクロム線、シーズヒーター等に比べ、消費電力の約３０％程度が削減可能である。このため二酸化炭素の発生を抑制でき農作物および果実の生産コストの削減や市場を視野に農作物および果実の出荷時期の調整に大きく寄与する。【００１５】  電源オン・オフ時の突入電流が低く抑えられ断線も少なく、機器の耐久時間が飛躍的に伸びる。（連続点灯時間１００００時間を実現している）。また、電源保護回路の設定の必要もなく、他の機種と比較し設置費用を抑制でき設置が簡便である。
(57)【要約】【課題】発明の課題牛乳のタンパク質の醗酵食品であるチーズと大豆タンパク質の醗酵食品である味噌と醤油並びに和風出汁の混合により、グルタミン酸、イノシン酸及グアニル酸による三種のうま味の相乗効果が起きて出来上がる新しいうま味のソースを作る事が課題である。【解決手段】発明の解決手段チーズと味噌と醤油と和風出汁を混合して塩分を４％に押さえ、和洋中華等色々な食の調味料にあう様に作る事。  その為には、味噌、醤油、チーズ並に和風出汁を重量比率で１：２：３：６の割合で使用する。これらをミキサーで十分混和すればよい。製品が腐敗しないように、上記の加工が終ったら殺菌のため全体を摂氏８０度以上に加熱することが必要である。チーズの塩分は３％、味噌の塩分は１０％、醤油の塩分は１５％、出汁の塩分は殆どゼロである。結果的にはこのソースの塩分は約４％になる。【特許請求の範囲】
【請求項１】
このソースは日本料理のしゃぶしゃぶを食する時に使うタレとして非常に有効である。乳製品の醗酵食品であるチーズと大豆の醗酵食品である味噌と醤油と和風出汁を混合してつくる。
【請求項２】
調味料の一種としてのソースであるが、欧米の伝統的食材であるチーズと日本の伝統的な食材である味噌と醤油を使用する物であり、異質の蛋白質の醗酵食品と各種和風出汁の混合でうまみの相乗効果で新しい味が出てくる。
つまり、味噌、醤油、チーズ、並びに昆布、鰹節、乾し椎茸などの和風出汁を基本とする調味料である。チーズとしては国産のプロセスチーズを基本とする。
【請求項３】
我々日本人の調味料としては味噌、醤油、味醂、塩並びに一般的な和風出汁が主流であるが、伝統ある欧米の食文化には日本料理の調味料との接点は少ない。今回の発明はチーズのグルタミン酸と我々の調味料を合わせた時、うま味の相乗効果が起こり、新しい味の調味料が出来上がる事が発明の要点。
このチーズと味噌と醤油と和風出汁を合わせた調味料は、全く新しい味を作り出すものである。この新しい調味料は、獣肉、鳥肉、魚介類、各種野菜を対照とした「しゃぶしゃぶ」のように高温の出汁の中で加熱処理した食材でも、加熱しない生食でも、殆どあらゆる食材を食する時に調味料として使用すると大変美となる。和洋中華料理の全般に対し、その応用範囲は極めて大きい。
野菜サラダにかけても、スパケッティーにかけても、湯豆腐にかけて刻み葱や鰹節と共に食してもよい。つまり新しい調味料として和洋中華いずれの新しい料理でも美味にする事ができる調味料である。
【発明の詳細な説明】
【技術分野】
【０００１】本発明は、あらゆる料理に添加してうま味を高めるソースの製法である。
代表的な使用対象はしゃぶしゃぶのタレである。他に比べる対象が無い美味なソースなので「無比ソース」と言う意味である。基本的には醗酵した乳製品であるチーズと醗酵した大豆蛋白質の加工食品である味噌と醤油を混ぜ合わせ、和風出汁で延ばし塩分を４パーセント程度にしたものである。味噌の塩分は１０％、醤油の塩分は１５％、国産のチーズの塩分は３％程度である。【０００２】東西の長い食文化の歴史の中で、日本の味噌と醤油が欧米のチーズと混ぜ合わされて調味料になった事はなかった。故に、その美味なる食感には注目されなかった。しかし、東西の美味なる調味料が合わされると、その美味の効果は数倍となるものであり、その分量の確定は難しいが、基本的には味噌、醤油、チーズ並びに和風出汁の分量は重量比１：２：３：６にする。出汁は昆布や鰹節や乾し椎茸で作った和風出汁がよい。【０００３】前述の和風出汁には、昆布のグルタミン酸、鰹節のイノシン酸、乾し椎茸のグアニル酸が抽出されており、このうまみ成分は相互に作用し、うまみの相乗効果が発生する。これら三種類の蛋白質がうま味の三要素と言われている物で本発明はこのうまみ成分の相乗効果を活用するものである。
日本料理のうま味は、これらの蛋白質によるうま味成分を混合することで生ずるうま味の相乗効果によるものである。【０００４】またチーズに含まれるグルタミン酸の量は昆布に含まれるグルタミン酸と重量比で同程度であり、これ等と味噌、醤油のグルタミン酸と和風出汁のグルタミン酸、イノシン酸及びグアニル酸のうま味が合わさった時に、うま味の相乗効果は極めて大きい。【０００５】好みに応じて、タレにニンニク風味をいれても良いし、食するときに刻み葱と共に薬味の様に使って食してもよい。好みによってはパセリやセロリーや洋風の香味野菜の刻みを入れても良い。対象の消費者により適宜選択すれば良い。
【発明の概要】
【発明が解決しようとする課題】
【０００６】しゃぶしゃぶは日本人には非常に好まれているが、これは欧米人には必ずしも好評ではない。理由はタレであり、醤油が主体で、大根おろしとか、ゴマタレのような日本人好みの香辛料がはいると、欧米人には向かない場合が出てくる。解決しようとしている課題は、我々日本人と味覚の違う欧米人にも、しゃぶしゃぶが好まれるいようなタレをつくる事であり、そのタレは日本人が好む欧米風料理に添加すると日本人好みの料理に変化するのである。
それにより、新しい食感を求めるグルメの人たちがより高く評価してくれる新種のタレを作ることで、食品事業の拡大を図ろうと言うのが課題である。
【課題を解決するための手段】
【０００７】欧米の歴史的食材と日本の歴史的食材を合わせて、欧米人にも日本人にも違和感の無い、美味なタレをつくる事である。そのために、チーズと味噌、醤油を混ぜ、更に和風出汁をいれてソースをつくるのだが、チーズは国産のプロセスチーズが有効である事が判明した。味噌、醤油は特に拘らなくとも差し支えない。【０００８】食文化の歴史の違う日本人と欧米人では、このタレも好みに微妙な差がある。
日本人対象の場合は和風出汁を多めに、欧米人が対象の場合は洋風出汁を多めにしたほうが良い。和風出汁とは昆布や鰹節や乾し椎茸で取った出汁である。チーズと昆布から抽出されるグルタミン酸と鰹節から抽出されるイノシン酸、並びに干椎茸から抽出されるグアニル酸が混合されると、うま味の相乗効果が起こり、極めてうま味の高い汁が出来上がる。
【発明の効果】
【０００９】日本における料理「しゃぶしゃぶ」のタレの多くが、ゴマタレに、大根卸とか刻み葱、生姜等が多く、時には欧米人の趣向とあわない場合がかなりある。この発明によるタレはプロセスチーズ、味噌、醤油を併せ和風出汁でのばして作った新しいタレであり、欧米人にも違和感が無い。牛乳のタンパク質の醗酵したチーズからも大豆蛋白の醗酵した味噌および醤油からも、グルタミン酸が発生し、この味が混和してうま味の相乗効果が起こり、より美味な味を作り出す性質があり、それが新しい味を作り出す為の大きな効果を作り出す。この新しいタイプのソースは「シャブシャブ」だけでなく、色々な和洋各種の料理のソースとして非常に有効である。
【発明の実施するための形態】
【００１０】基本は味噌と醤油、プロセスチーズを重量比で１：２：３を取り出し、これを大きな器に入れて、和風出汁を重量比で６を混和すればよい。
材料を全部混ぜ合わせ、ミキサーで完全に混和することが必要。
水分としては、鰹節や昆布出汁や干し椎茸から作る和風出汁が良い。
これを混ぜ合わせ塩分を４％程度に抑えておく事が肝要である。
塩分を４％にするためには味噌、醤油、チーズと出汁をそれぞれ重量比１：２：３：６  として、一つの容器にいれてよく混和すればよい。
出来た製品を、長期保存させるためには、加工終了後、全体を摂氏８０度以上で加熱殺菌しておく事が肝要である。
(57)【要約】 【課題】携帯電話に装着して鍵を収納でき、その鍵を容易に取出しができるケースを提供する。【解決手段】ストッパーとノブを備えた鍵を収納しているケースで、携帯電話を保持する後方ガイドと側面ガイドを備えて、ノブをスライド移動させる事により鍵のキーウエイ部がケース本体から出入りすることができることを特徴とする。【選択図】 図１
2011172768.tif 000002
【特許請求の範囲】
【請求項１】
ストッパーとノブを備えた鍵を収納しているケースで、携帯電話を保持する後方ガイドと側面ガイドを備えていることを特徴とする携帯電用に装着できる鍵ケース。
【請求項２】
前記ケースの上面にストッパーが勘合する窓と、ノブがスライドできる窓を備えていることを特徴とする携帯電用に装着できる鍵ケース。
【請求項３】
前記鍵を無加重状態では持ち上げストッパーがケースの窓の外に出て固定させる板バネを備えていることを特徴とする携帯電用に装着できる鍵ケース。
【請求項４】
無加重状態ではストッパーがケースの外に出て固定されるが、下方へ力を加えると下に下がりケースの中をスライドできることを特徴とする携帯電用に装着できる鍵ケース。
【請求項５】
鍵がケースの中でスライドするスペースを保持しキーウエイ部がケースの外部に出る穴を保持していることを特徴とする携帯電用に装着できる鍵ケース。
【発明の詳細な説明】
【技術分野】
【０００１】
本発明は、携帯電話に装着でき鍵を容易に収納および取出しができる鍵ケースに関する。
【背景技術】
【０００２】
昨今家から外出する際にほとんどの人々が持参する物に家の鍵と携帯電話がある。しかしながらその鍵と携帯電話は別体となっているのでそれぞれを手に持ち携帯する必要がある。
【先行技術文献】
【特許文献】
【０００３】
【特許文献１】特許公開２００２−３４６３４
【発明の概要】
【発明が解決しようとする課題】
【０００４】
このようなことから本発明は、携帯電話に装着して鍵を収納でき、その鍵を容易に取出すことができるケースを提供することを目的とする。
【課題を解決するための手段】
【０００５】
前記の課題を解決するための第一番目の発明に係る携帯電用に装着できる鍵ケースは、ストッパーとノブを備えた鍵を収納しているケースで、携帯電話を保持する後方ガイドと側面ガイドを備えていることを特徴とする。
【０００６】
第二番目の発明に係る鍵ケースは、第一番目の発明において
前記ケースの上面にストッパーが勘合する窓と、ノブがスライドできる窓を備えていることを特徴とする。
【０００７】
第三番目の発明に係る鍵ケースは、第一番目から二番目に記載の発明において、
前記鍵を無加重状態では持ち上げストッパーがケースの窓の外に出て固定させることができる板バネを備えていることを特徴とする。
【０００８】
第四番目の発明に係る鍵ケースは、第一番目から三目に記載の発明において、無加重状態ではストッパーがケースの外に出て固定されるが、下方へ力を加えると下に下がりストッパーが外れケースの中をスライドできることを特徴とする。
【０００９】
第五番目の発明に係る鍵ケースは、第一番目から四番目に記載の発明において、鍵がケースの中でスライドするスペースを保持しキーウエイ部がケースの外部に出る取出し口を保持していることを特徴とする。
【発明の効果】
【００１０】
本発明によれば、携帯電話に装着した鍵ケースの中に鍵が装備されることにより携帯電話と鍵が一体化し、鍵をスライドする事によりキーウエイ部が容易にケースの外部に出入りして利用することができる。
【図面の簡単な説明】
【００１１】
【図１】本発明に係る携帯電話に装着できる鍵ケースの実施形態の斜視図である。
【図２】図１の鍵を収納した状態の斜視図である。
【図３】図２の上面図である。
【図４】図２の正面図である。
【図５】無加重状態の指と図３のＡＡ断面図である。
【図６】図３の左側面図である。
【図７】図３の右側面図である。
【図８】鍵６の単体の傾斜図である。
【図９】図２の状態からノブに下方へ力を加えた状態の指と断面図である。
【図１０】図１の鍵のキーウエイ部をケースの外部に取出した状態の指と断面図である。
【図１１】図１の鍵のキーウエイ部をケースの外部に取出した状態の上面図である。
【発明を実施するための形態】
【００１２】
以下、本発明の実施の形態について、図を参照して説明する。
【００１３】
本発明に係る携帯電話に装着できる鍵ケースの実施形態を図１〜１１に基づいて説明する。図１は全体構成を示す外観図である。
図２は図１のキーウエイ部を収納した状態の外観図、図３は図２の上面図、図４は図２の正面図、図５は図３のＡＡ断面図、図６は図３の左側面図、図７は図３の右側面図、図８は鍵６の単体の傾斜図、図９は図２の状態からノブに下方へ力を加えた状態の指と断面図、図１０は図１の断面図、図１１は図１の上面図である。
【００１４】
本実施形態に携帯電話に装着できる鍵ケースは、図１に示すように後方ガイド４と側面ガイド５を保有して携帯電話１２の上に長方形型の本体1が装着している。
【００１５】
図８に示すように鍵６はストッパー７とノブ８と一体化しており、図５に示すように本体１の中に収納される。
【００１６】
図１に示すように本体1はストッパー窓２とノブ窓３を保有しており、図２に示すようにストッパー７はストッパー窓２のみ勘合し、ノブ８はノブ窓２をスライド移動することができるようになっている。
【００１７】
図１に示すように本体1の内側底面に板バネ９を装備しており、図５に示すようにストッパー７がストッパー窓２の位置にある場合は鍵６を上に持ち上げ、ストッパー７をストッパー窓２に勘合させて保持している。
【００１８】
図５に示すようにノブ８を指で上部から下方向へ力を加える事により、図９に示すように鍵６が下がり、ストッパー７がストッパー窓２から開放される。
【００１９】
図１０に示すようにノブ８を指でスライドさせることにより鍵６も本体1内でスライドされ、キーウエイ１０部が本体１の外部に出る取出し口１３を保有している。
【００２０】
以上実施の形態を説明したが、本発明は実施の形態で説明した内容に限定されないことはいうまでもない。
【産業上の利用可能性】
【００２１】
鍵ケース本体の底面部を携帯電話と一体化する事により、さらにコンパクトにして利用できる。
【符号の説明】
【００２２】
１    本体
２    ストッパー窓
３    ノブ窓
４    後方ガイド
５    側面ガイド
６    鍵
７    ストッパー
８    ノブ
９    板バネ
１０  キーウエイ
１１  指
１２  携帯電話
１３  取出し口
【図１】
2011172768.tif 000003
【図２】
2011172768.tif 000004
【図３】
2011172768.tif 000005
【図４】
2011172768.tif 000006
【図５】
2011172768.tif 000007
【図６】
2011172768.tif 000008
【図７】
2011172768.tif 000009
【図８】
2011172768.tif 000010
【図９】
2011172768.tif 000011
【図１０】
2011172768.tif 000012
【図１１】
2011172768.tif 000013
(57)【要約】      （修正有）【課題】高価な金属製物干し角ハンガーの製造原価を低減する。【解決手段】ストレートパイプであるステン巻き鋼材１，２，３をフレームとして使用し、鋼材費を低減する。ステン巻き鋼材は曲げ加工が困難な為、コーナー５、ジョイント部６には別パーツを用い一体化された物干し角ハンガーとする。フレームをストレートパイプとジョイント部にすることで商品サイズを自由に変えることができる。フック１０はフック用ジョイント１１、フック用台座１２に連結され、フック用台座長穴に一対のフック用ワイヤー４をワイヤージョイント８を介してステン巻きパイプに連結される。【選択図】図１
2011172889.tif 000002
【特許請求の範囲】
【請求項１】
フレームにステン巻き鋼材を使用した物干し角ハンガー。
【請求項２】
ストレートパイプとジョイント部を使用することでサイズの多様化が図れる物干し角ハンガー。
【発明の詳細な説明】
【技術分野】
【０００１】本発明はステン巻き鋼材をフレームとした物干し角ハンガーとする。
【背景技術】
【０００２】従来の金属製物干し角ハンガーはステンレス鋼材、アルミ鋼材、鉄鋼材（メッキ処理）などを曲げ加工しているもので材料が高いく商品自体が高価なものになっている。【０００３】ステン巻き鋼材は曲げ加工が困難な為、コーナー、ジョイント部には別パーツを用い一体化された物干し角ハンガーとする。
【発明の概要】
【発明が解決しようとする課題】
【０００４】製造原価の低減の為、原材料をステン巻きとする。
【課題を解決するための手段】
【０００５】ステン巻き鋼材をフレームとして使用する。【０００６】フレームをステン巻き鋼材にし、ストレートパイプにする。
【発明の効果】
【０００７】フレームにステン巻き鋼材を使用することにより鋼材費低減及びストレートパイプにより工場間の物流費低減を図り、全体原価の低減になり市場価格の抑制となる。【０００８】商品サイズがフレームをストレートパイプとジョイント部にすることで自由に変えることができる。
【図面の簡単な説明】
【０００９】
【図１】全体上面図
【図２】全体側面図
【図３】部分拡大図
【図４】ステン巻きパイプ断面図
【図５】サイズ（小タイプ）全体上面図
【発明を実施するための形態】
【００１０】以下、本発明の実施の形態を図１〜図５に基づいて説明する。
【実施例】
【００１１】図１，２，３の部品構成は以下の通りとなります。
フレームとしてステン巻きパイプＡ，Ｂ，Ｃ  １、２，３を有し、一対のコーナージョイント５，Ｔ型ジョイント７、連結部品６に連結設置されている。【００１２】フック１０はフック用ジョイント１１、フック用台座１２に連結され、フック用台座長穴に一対のフック用ワイヤー４をワイヤージョイント８を介してステン巻きパイプＡ１に連結される。【００１３】ピンチ１３はピンチ用バネ１４を有し、ピンチ用連結線材１５、ピンチ用ジョイント９で一対のステン巻きパイプＡ，Ｂ，Ｃ  １，２，３に連結されている。【００１４】図４ステン巻きパイプ断面図の構造は内管鋼管１７がスチールで、外筒１６が薄肉ステンレス鋼で構成され繋ぎ目部分が溶接部１８となっている。【００１５】図５サイズ（小）全体上面図はステン巻きパイプＡ，Ｂ，Ｃ  １、２，３の長さを可変にしたサイズ小の物干し角ハンガー上面参考図であります。
【産業上の利用可能性】
【００１６】消費者に、より安価でサイズの多様化が図れる物干し角ハンガーの供給が可能になる。
【符号の説明】
【００１７】１  ステン巻きパイプＡ
２  ステン巻きパイプＢ
３  ステン巻きパイプＣ
４  フック用ワイヤー
５  コーナージョイント
６  連結部品
７  Ｔ型ジョイント
８  ワイヤージョイント
９  ピンチ用ジョイント
１０  フック
１１  フック用ジョイント
１２  フック用台座
１３  ピンチ
１４  ピンチ用バネ
１５  ピンチ用連結線材
１６  薄肉ステンレス鋼
１７  鋼管
１８  溶接部
【図１】
2011172889.tif 000003
【図２】
2011172889.tif 000004
【図３】
2011172889.tif 000005
【図４】
2011172889.tif 000006
【図５】
2011172889.tif 000007
(57)【要約】      （修正有）【課題】筋違い棒を無くしても、組付調整が簡単で、安定した棚構造を提供する。【解決手段】水平な棚を支持するに棚用伸縮パイプ４と支柱パイプ２とを結合する構造であって、前記支柱パイプ２に棚用伸縮パイプ４との間に接触面積の大きい小判型をした、ジョイント部品９を挿入し、ジョイント部品９支柱パイプ２のジョイント部品９と反対側からビス７を貫通させて棚用伸縮パイプ４に螺合する。【選択図】図６
2011172890.tif 000002
【特許請求の範囲】
【請求項１】
本発明は上下方向の支柱（下）、水平方向の支柱（上）パイプ、水平方向に設置される伸縮棚と各接続部によって構成され、背面に通常見られる筋交棒を削除し、水平棚と上下方向の支柱との接続を実行する面積の大きい小判型ジョイント部品にて安定感を保つ機構をもたせた洗濯機用棚。
【発明の詳細な説明】
【技術分野】
【０００１】本発明は洗濯機の上部空間を有効活用させるための棚を自在に伸縮調整できる機能を持ち、尚且つ棚本体の安定度向上を図った洗濯機用棚に関するものである。
【背景技術】
【０００２】従来の洗濯機用棚は棚を閉口方向に伸縮機能を持つ構造が一般的である。【０００３】さらに、洗濯機用棚の組み立て後に安定度を保つため、背面部に筋交棒を備えそれらを交差させた構造のものが多くみられる。
【発明の概要】
【発明が解決しようとする課題】
【０００４】従来の製品においては、洗濯機のサイズ及び設置場所等を精査して棚、筋交棒を伸縮させ取付けするのに手間がかかるうえ、安定感に満足を得られないことがあった。
【課題を解決するための手段】
【０００５】本発明は安定感を図る為、水平方向に設置される棚と上下方向の支柱とを接続させるジョイント部品を設置面積が拡大できるように小判型の形状にする。【０００６】  本発明はおいては、調節が困難な筋交棒を省略し組み立て作業を確実に、かつ簡単に行え、小判型ジョイントの使用による設置面積拡大により、棚と支柱との接続強度の充足、本体の安定度を増すこととなる。
【発明の効果】
【０００７】  本発明により棚と支柱との接続増強となり、本体全体の安定度が増し、組付調整作業の簡便性を可能とする。【０００８】  本発明の主旨である筋交棒を無くすことにより、全体材料原価の低減となり市場価格の抑制となる。
【図面の簡単な説明】
【０００９】
【図１】本発明の実施形態を表す洗濯機用棚の全体図
【図２】本発明の実施形態を表す洗濯機用棚の最大サイズ形状図面
【図３】本発明の実施形態を表す洗濯機用棚の最小サイズ図面
【図４】本発明の実施形態を表す洗濯機用棚の側面図
【図５】従来の実施形態を表す洗濯機用棚筋交棒付き図面
【図６】本発明の実施形態を表す洗濯機用棚機構拡大図
【図７】本発明のジョイント部品（大、小）図面
【図８】従来のジョイント部品図面
【発明を実施するための形態】
【００１０】以下、本発明の実施の形態を図１〜図４に基づいて説明する。
【実施例】
【００１１】図１，２，３，４の部品構成は以下の通りとなります。
一対の支柱（下）１の上に支柱（上）パイプ２が設置された間に連結した伸縮調整自在棚３と棚用伸縮パイプ４とを備える。棚３は支柱（上）パイプ２間にジョイント部品（大、小）８，９とビス７の締付によって上下二段設けられている。【００１２】一対の支柱（上）パイプ２の穴にタオル掛け棒５が設けられている。【００１３】棚３に棚用伸縮パイプ４が挿入され、伸縮止具により棚用伸縮パイプ４を自在の位置で調整できる機構を設けられている。【００１４】図５，６，７，８の部品構成は以下の通りとなります。
支柱（下）パイプ１に設置されている筋交棒１０を無くし、安定感を出す為に支柱（上）２と棚用伸縮パイプ４とビス７を連結させているジョイント部品（大、小）８、９の形状を小判型にすることにより支柱（下）パイプ１、支柱（上）パイプ２のハノ字開きによるガタを防止する機構を設けられている。従来形状ジョイント部品１１ではガタ防止が図れない。
【産業上の利用可能性】
【００１５】消費者に、より安価で組付調整作業の簡単な洗濯機用棚の供給が可能になる。
【符号の説明】
【００１６】１  支柱（下）
２  支柱（上）パイプ
３  棚
４  棚用伸縮パイプ
５  タオル掛け棒
６  伸縮パイプ止具
７  ビス
８  ジョイント部品（大）
９  ジョイント部品（小）
１０  筋交棒
１１  従来ジョイント部品
【図１】
2011172890.tif 000003
【図２】
2011172890.tif 000004
【図３】
2011172890.tif 000005
【図４】
2011172890.tif 000006
【図５】
2011172890.tif 000007
【図６】
2011172890.tif 000008
【図７】
2011172890.tif 000009
【図８】
2011172890.tif 000010
(57)【要約】【課題】  従来の絆創膏の場合、怪我に絆創膏がくっつく場合があり、それが原因で怪我の治りが遅くなるという課題があった。  本発明は、絆創膏の布の部分を浮かせることによって、怪我の治りをはやくする絆創膏を提供する。【解決手段】  絆創膏の布の部分を、盛り上げた常態の構成にしたことを特徴とする、絆創膏。【選択図】図１
2011172893.tif 000002
【特許請求の範囲】
【請求項１】
絆創膏の布の部分を、盛り上げた常態の構成にしたことを特徴とする、絆創膏。
【発明の詳細な説明】
【技術分野】
【０００１】  本発明は、絆創膏の布の部分を浮かせることによって、怪我の治りをはやくする絆創膏に関するものである。
【背景技術】
【０００２】  従来の絆創膏は、怪我した部分に絆創膏をはり、怪我を治すというものであった。
【発明の概要】
【発明が解決しようとする課題】
【０００３】  従来の絆創膏の場合、怪我に絆創膏がくっつく場合があり、それが原因で怪我の治りが遅くなるという課題があった。
本発明は、以上の問題点を解決するためになされたものである。
【課題を解決するための手段】
【０００４】  絆創膏の布の部分を、盛り上げた常態の構成にしたことを特徴とする、絆創膏。
【発明の効果】
【０００５】  絆創膏の布の部分が盛り上がっているため、怪我に絆創膏がくっつくことがなくなり、怪我の治りがはやくなった。
これは、絆創膏の布の部分にかさぶたになる成分がいかなくなり、それによって絆創膏をはがすときに、かさぶたの成分もはがれることがなくなったためである。
また、絆創膏が水に濡れた場合も、布が怪我とくっついていると怪我の治りが悪くなるが、この絆創膏の場合、くっついていないため、かさぶたがはやくできるようになった。
このため、この絆創膏は、怪我の治りがはやくなった。
【図面の簡単な説明】
【０００６】
【図１】  本発明の斜視図である。
【図２】  本発明の上面図である。
【図３】  本発明の断面図である。
【発明を実施するための形態】
【０００７】  以下、本発明の実施の形態を説明する。
（イ）テープ（１）に、布（２）を設ける。
また、布（２）は、二重以上の厚さにしている。
（ロ）布（２）の間に、プラスチックの薄い曲がった板（３）を設ける。
2011172893.tif 000003
本発明は以上のような構造である。
本発明の使用方法は、この絆創膏を怪我の部分に貼る。
このとき、怪我に絆創膏の布（２）の部分が、つかないように気をつけて貼る。
【符号の説明】
【０００８】    １  テープ
２  布
３  プラスチックの薄い曲がった板
【図１】
2011172893.tif 000004
【図２】
2011172893.tif 000005
【図３】
2011172893.tif 000006
(57)【要約】      （修正有）【課題】バネ線をコイル状に巻いた筒の上部に所定の角度を保たせて線香を置き、燃焼させる器具を提供する。【解決手段】直径０．３５ｍｍ〜０．５ｍｍのバネ線１をコイル状に巻いた巻き線２によって筒３を形成し、その前後の両端の巻き線２を略長方形のケース４の側面に、筒３の中心線Ｂとケース４の長辺とが略４０度〜５０度に交わる様に、且つ、筒３を相互に隣接させて取り付け、更に、筒３の内径を線香５の直径の２〜５倍とし、巻き線の相互の間隔を線香５の直径の１〜２倍としてなる線香燃焼器の構造。【選択図】図２
2011172896.tif 000002
【特許請求の範囲】
【請求項１】
直径０．３５ｍｍ〜０．５ｍｍのバネ線１をコイル状に巻いた巻き線２によって筒３を形成し、その前後の両端の巻き線２を略長方形のケース４の側面に、筒３の中心線Ｂとケース４の長辺とが略４０度〜５０度に交わる様に、且つ、筒３を相互に隣接させて取り付け、更に、筒３の内径を線香５の直径の２〜５倍とし、巻き線の相互の間隔を線香５の直径の１〜２倍としてなる線香燃焼器の構造。
【発明の詳細な説明】
【技術分野】
【０００１】  本発明は、線香の燃焼を円滑に行わせるための器具に関する。
【背景技術】
【０００２】  従来、主に屋外で使用されているものでは板状の金網の上に線香を置いて燃焼させる燃焼器などがある。
【発明の概要】
【発明が解決しようとする課題】
【０００３】  上述した燃焼器では、金網の升目等の形状、線材料の太さ等によって燃焼途中で失火したりする場合があったように思われる。【０００４】  本発明は、このような従来の構成が有していた問題点を解決しようとするものであり、バネ線をコイル状に巻いた筒の上部に所定の角度を保たせて線香を置き、燃焼させる器具を提供しようとするものである。
【課題を解決するための手段】
【０００５】  本発明は、上記の目的を達成するために、直径０．３５ｍｍ〜０．５ｍｍのバネ線１をコイル状に巻いた巻き線２によって筒３を形成し、その前後の両端の巻き線２を略長方形のケース４の側面に、筒３の中心線Ｂとケース４の長辺とが略４０度〜５０度に交わる様に、且つ、筒３を相互に隣接させて取り付け、更に、筒３の内径を線香５の直径の２〜５倍とし、巻き線の相互の間隔を線香５の直径の１〜２倍としてなる線香燃焼器である。
【発明の効果】
【０００６】  上述したように、本発明の線香燃焼器は、バネ線の直径及び巻き線相互の間隔、更に筒３の位置が良好に定められており、線香５をケース４の長辺と平行に置いて燃焼させることによって、線香５と筒３との接触部分が小となって、線香の火玉部分から筒への熱伝達も軽減され、安全に全てを燃焼させることができる。
【図面の簡単な説明】
【０００７】
【図１】  本発明の実施形態を示す線香燃焼器の立体図
【図２】  図１におけるＡ−Ａ線の断面図
【発明を実施するための形態】
【０００８】  以下、本発明の実施形態を図１〜図２に基づいて説明する。
【０００９】  図１においては、筒３の両端がケース４に取り付けられて居り、筒３の中心線Ｂとケース４の長辺とのなす角度を略４０度〜５０度に保つが、このことは、線香５と筒３の中心線とを出来るだけ大きい角度で交わらせるための設定であり、巻き線２の相互の間隔によって自ずと異なるが、より好ましくは約４５度とすると良い。又、隣接する筒３相互の間隔は、線香の直径の０．５〜２倍とするが、筒３の外径及び巻き線２の直径等に応じて定め、線香が隙間から脱落しない安全な数値、即ち、より好ましくは線香の直径の約０．８倍とするのが良い。
【００１０】  図２においては、巻き線２が所定の間隔を保って、その両端はケース４にビス７によって取付けられている。又、筒３の下部には、上部に置かれた線香の重みによる垂れ下がりを防ぐために架台６が設けられている。
【符号の説明】
【００１１】１  バネ線
２  巻き線
３  筒
４  ケース
５  線香
６  架台
７  ビス
Ｂ  筒３の中心線
【図１】
2011172896.tif 000003
【図２】
2011172896.tif 000004
(57)【要約】【課題】洗濯物を洗濯物留め具に留めるとき、また、取り込むとき、指の力を要する挟持部の開閉操作を不要とした洗濯物留め具を提供する。【解決手段】天部（１）の両端に支持部（２）を設け、Ｕ字形、凹形等の外形（３）を形成し、支持部（２）の内側に弾性体の挟持部（４）を複数枚、傾斜を付けて複数段、設けたことを特徴とする。【選択図】図１
2011172897.tif 000002
【特許請求の範囲】
【請求項１】
天部（１）の両端に支持部（２）を設け、Ｕ字形、凹形等の外形（３）を形成し、両支持部（２）の内側に弾性体の挟持部（４）を複数枚、傾斜を付けて複数段、設けた洗濯物留め具。
【発明の詳細な説明】
【技術分野】
【０００１】  本発明は、洗濯物を留めるとき挟持部の開閉を要することなく、洗濯物を留めて保持し、留めた洗濯物の取り外しを可能にした、洗濯物留め具に関するものである。
【背景技術】
【０００２】  従来、洗濯物留め具は、つまみ部を指で操作して挟持部を開き、洗濯物を挟んで留め、取り込むときも挟持部を開き取り外していた。
【発明の概要】
【発明が解決しようとする課題】
【０００３】  これは、次のような問題があった。
従来の洗濯物留め具は、挟持部に挟んだ洗濯物をバネの力によって保持していたため、挟持部の開閉にはバネの反発力があり、指に力を入れてつまみ部の操作をしなければならず、高齢者や指に力の入らない人にとって大変負担になるものであった。
本発明は、これらの問題を解決するためになされたものである。
【課題を解決するための手段】
【０００４】  天部（１）の両端に支持部（２）を設け、Ｕ字形、凹形等の外形（３）を形成し、両支持部（２）の内側に弾性体の挟持部（４）を複数枚、傾斜を付けて複数段設ける。
本発明は、以上の構成よりなる洗濯物留め具である。
【発明の効果】
【０００５】  イ．弾性体の挟持部は、挟持部自体が変形するので、指の力を要する挟持部の開閉操作    をすること無く、洗濯物を差し込んで留めることができ、取り込むときも洗濯物留め    具から引き抜くことができる。
ロ．複数枚の挟持部を傾斜させて設けることで、差し込むときの抵抗を少なくして、差    し込んだ洗濯物の複数個所を挟持部の弾性力と、洗濯物の自重で両側から押さえつけ    るため保持力を強くする。
また、複数枚の挟持部は、風圧や引き抜くとき洗濯物にかかる負荷を分散するので    生地を傷めない。
【図面の簡単な説明】
【０００６】
【図１】  本発明の斜視図である。
【図２】  本発明の洗濯物を留めた状態の斜視図である。
【図３】  本発明の洗濯物を差し込むときの正面図である。
【図４】  本発明の洗濯物を引き抜くときの正面図である。
【図５】  本発明の洗濯物を差し込むときの斜視図である。
【図６】  本発明の洗濯物を引き抜くときの斜視図である。
【発明を実施するための形態】
【０００７】  以下、本発明を実施するための形態について説明する。
（イ）天部（１）の両端に支持部（２）と支持部（２）を設けＵ字形、凹形等の外形（  ３）を成形する。
（ロ）支持部（２）と支持部（２）の内側に、弾性力の有るゴム系、または、それに準  ずる性質を有する弾性体の挟持部（４）を複数枚、両支持部（２）の下端から間隔を置  いて複数段、先端部（５）をフリーに天部（１）の方向に向け、傾斜を付けて中央まで  設ける。
本発明は、以上のような構造である。
これを使用するときは、洗濯物（６）を片方の手でつまみ、もう片方の手で支持部（２）をつまんで、支持部（２）と支持部（２）の内側に設けた挟持部（４）と挟持部（４）の間に下方から差し込む。洗濯物（６）は、下段の挟持部（４）の先端部（５）から押し開き進み、最上部の挟持部（４）まで差し込んで留める。差し込んだ洗濯物（６）は、挟持部（４）の弾性力と洗濯物（６）の自重で両側から押さえつけられ保持される。
取り込むときは、片方の手で支持部（２）をつまんで、もう片方の手で洗濯物（６）をつかんで、下方に引けば弾性体の挟持部（４）は、保持力を上回る力が加わったとき、下側に撓み変形するので引き抜くことができる。
【符号の説明】
【０００８】１  天部
２  支持部
３  外形
４  挟持部
５  先端部
６  洗濯物
【図１】
2011172897.tif 000003
【図２】
2011172897.tif 000004
【図３】
2011172897.tif 000005
【図４】
2011172897.tif 000006
【図５】
2011172897.tif 000007
【図６】
2011172897.tif 000008
(57)【要約】【課題】水を入れるのを忘れるのが多く、不便で危険だった。【解決手段】電気ポットに自動的にホースで水を入れていくことで、安全で経済的になる。【選択図】図１
2011172899.tif 000002
【特許請求の範囲】
【請求項１】
電気ポットに、自動水入れる装置を付け、そして、ホースもじゃ口からつなげ、湯量を調節し、吸水時間を時間調節する。
【発明の詳細な説明】
【技術分野】
【０００１】電気ポットに関する技術。
【背景技術】
【０００２】電気ポットに水を入れるのが面どうで、忘れる時があり、危険な時があった。
【発明の概要】
【発明が解決しようとする課題】
【０００３】電気ポットに水を入れるのを忘れると危険だ。
水を入れるのが面どうである。
【課題を解決するための手段】
【０００４】電気ポットとじゃぐちにホースと自動装置を付け、それをつなげる。
【発明の効果】
【０００５】水を入れるのを忘れる事がなく、安全で経済的である。
【図面の簡単な説明】
【０００６】
【図１】だん面図
【発明を実施するための形態】
【０００７】電気ポットをつくっているメーカーに作ってもらう。
【図１】
2011172899.tif 000003